(57)【要約】【課題】預金ネットワーク内でユーザからの支払いを受け取り、資金を送金先に電信振替する自動預金システムを提供すること。【解決手段】換金可能な証書の画像を取り込んだ後、記入された金額とともに有資格の署名を認識する読取り装置（５８、６０）を含んでいる自動書類キャッシングシステム。本システムを使用して、証書の金額を貯蓄預金口座、当座預金口座、スマートカードなどに振り替える。本システムでは、為替を発行（７６）するだけでなく為替をキャッシングする。本システムを使用して、電信振替を行うこともできる。画像取り込み装置を使用することによっても、ユーザが提示する公益事業の勘定書などの画像を取り込む。現金（６２）、クレジットカードの承認、スマートカードの残高などの形態で金銭を供給することによって、ユーザは、システムを通じて公益事業の勘定書のような請求に対する支払いを行ったり、システムによって自動販売される品目（８７、８８、８９、８９ａ）を購入したりする。【選択図】図２４
2008077680.tif 000002
【特許請求の範囲】
【請求項１】
預金ネットワーク内でユーザからの支払いを受け取り、資金を送金先に電信振替する自動預金システムであって、
ユーザが預金ネットワークを使用するための資格を有することを識別するカードを受け取るカード受取り装置を有する自動マシンと、
ここで、前記自動マシンは、
ユーザから現金を受納し、受け取った現金額を合計する現金受納装置と、
ユーザに現金を支払う現金支払い装置と、
取引を選択し、コマンドを入力し、マシンからの情報を受け取るためにユーザが操作可能なユーザインタフェース／ディスプレイと、
有資格ユーザのカードを受け取り、確認するカード受納装置と、
受け取った現金の合計額を含むユーザ用の領収書を生成する領収書生成装置と、
当該マシン内の書類受取り装置を含む書類キャッシング装置と、
書類の現金額を読み取る読取り装置と、
前記現金支払い装置からユーザに現金を支払う前に前記書類が一定の確率で有効な書類であることを確認する確認装置と
を含み、
他に転送すべき金額を入力する入力装置と、
送金先の口座の識別を入力するキーパッドと、
電信振替に対するユーザによる支払いを受納する支払い受納装置と、
送金先が前記預金ネットワーク内に口座を有することを確認する確認装置と、
確認された送金先の口座に前記預金ネットワークを介して電信振替するために、該預金ネットワーク内にモデムを有する通信システムと
を具えたことを特徴とする自動預金システム。
【請求項２】
前記支払い受納装置は、現金を受け取り、合計する現金受取り装置を含むことを特徴とする請求項１記載の自動預金システム。
【請求項３】
前記支払い受納装置は、
電信振替の支払いのためにカードを受け取るカード受取り装置と、
カードを読み取り、電信振替される現金に関係するカード上に借方を記入する手段と
を含むことを特徴とする請求項１記載の自動預金システム。
【請求項４】
前記支払い受納装置は、
クレジットカードを読み取り、かつ電信振替される現金に関係する金額についてクレジットカードネットワーク上で料金取引を実行するクレジットカード読取り装置を含むことを特徴とする請求項３記載の自動預金システム。
【請求項５】
支払いはスマートカードによって行われ、
電信振替される現金を支払うために十分なカード上の金額を確認するために前記カードを読み取り、電信振替される現金の額に関係する金額を該スマートカードに書き留めるスマートカード読取り装置／借方記入システム
を含むことを特徴とする請求項１記載の自動預金システム。
【請求項６】
前記電信振替の送信者用の領収書を印刷する印刷装置と、
電信振替の記録を作成して保持する取引記録システムと
を含むことを特徴とする請求項１記載の自動預金システム。
【請求項７】
送信者の引出し口座に接続し、そこから電信振替を支払うのに十分な金額を引き出すために、送信者によって操作可能な入力デバイス
を含むことを特徴とする請求項６記載の自動預金システム。
【請求項８】
現金、クレジットカード、スマートカード又は口座引出しの内から支払い方法をユーザに表示するディスプレイと、
電信振替の支払い方法の１つを選択するために、ユーザによって操作可能な選択装置と
を具えたことを特徴とする請求項１記載の自動預金システム。
【請求項９】
勘定支払いネットワークを介して勘定を支払う自動預金システムであって、
ユーザのカードを受け取り、ユーザがマシンを使用する資格を有することを識別するためのカード受取り装置を有する自動マシンと、
ここで、前記自動マシンは、
ユーザから現金を受納し、受け取った現金額を合計する現金受納装置と、
ユーザに現金を支払う現金支払い装置と、
取引を選択し、コマンドを入力し、マシンからの情報を受け取るためにユーザが操作可能なユーザインタフェース／ディスプレイと、
有資格ユーザのカードを受け取り、確認するカード受納装置と、
受け取った現金の合計額を含むユーザ用の領収書を生成する領収書生成装置と、
当該マシン内の書類受取り装置を含む書類キャッシング装置と、
書類の現金額を読み取る読取り装置と、
前記現金支払い装置からユーザに現金を支払う前に前記書類が一定の確率で有効な書類であることを確認する確認装置と
を含み、
勘定支払ネットワークを介して支払い可能な勘定書の選択を表示するディスプレイと、
該ディスプレイは、現金による支払いを含む複数の支払い方法を表示し、
前記表示されている複数の勘定書から、支払われる勘定書を選択するためにユーザによって操作可能な選択装置と、
勘定書の金額を読み取り、勘定の受取人を識別するための読取り装置と、
前記自動マシンから勘定支払いネットワークに接続するためのモデムを含む通信ネットワークと、
支払われる勘定を受け取り、格納するための勘定受取り装置と、
勘定取引および支払いを記録するための取引記録装置と
を具えたことを特徴とする自動預金システム。
【請求項１０】
支払いのために支払いカードを読み取り、前記支払いカードが前記勘定支払いネットワークで使用する資格を有することを確認するためのカード読取り装置をさらに具えたことを特徴とする請求項９記載の自動預金システム。
【請求項１１】
前記支払いカードは、スマートカードであり、
前記スマートカードが勘定を支払うために十分な資金を有することを分析するための分析装置と、
前記スマートカードで支払われる勘定書に関係する金額を減額するためのスマートカード書込み装置と
をさらに具えたことを特徴とする請求項１０記載の自動預金システム。
【請求項１２】
前記支払いカードは、クレジットカードであり、
勘定書金額をユーザのクレジットカード口座に請求するために、モデムを介して接続されたクレジットカード通信手段を含むことを特徴とする請求項１０記載の自動預金システム。
【請求項１３】
支払いのために選択される複数の勘定書と、
各勘定書および取引料金に対して支払われる金額を合計する合計金額計算装置と、
支払い済みの勘定書、取引料金およびユーザによって支払われた合計金額を示す領収書を発行する領収書生成装置と
を具えたことを特徴とする請求項９記載の自動預金システム。
【請求項１４】
預金ネットワーク内でユーザから送金先に資金の電信振替が可能な預金システムの自動マシンを提供する方法であって、
ユーザが該マシンおよび前記預金ネットワークを使用する資格を有することを識別するカードを読み取るためのカード読取り装置を有する自動マシンを設けるステップと、
ここで、前記自動マシンは、
ユーザから現金を受納し、受け取った現金額を合計する現金受納装置と、
ユーザに現金を支払う現金支払い装置と、
取引を選択し、コマンドを入力し、マシンからの情報を受け取るためにユーザが操作可能なユーザインタフェース／ディスプレイと、
有資格ユーザのカードを受け取り、確認するカード受納装置と、
受け取った現金の合計額を含むユーザ用の領収書を生成する領収書生成装置と、
当該マシン内の書類受取り装置を含む書類キャッシング装置と、
書類の現金額を読み取る読取り装置と、
前記現金支払い装置からユーザに現金を支払う前に前記書類が一定の確率で有効な書類であることを確認する確認装置と
を含み、
送金者が送金先の口座番号に従って銀行の識別を前記自動マシンに入力するステップと、
送金先に電信振替される金額を入力するステップと、
前記自動マシンに電信振替のための支払方法を設けるステップと、
銀行システムから、前記預金ネットワークへの電信振替用のモデムを介して、前記受取り銀行の確認された送金先の口座に通信するステップと
を具えたことを特徴とする方法。
【請求項１５】
電信振替用に現金を入金するステップと、
前記自動マシン内で受け取られた現金を数えるステップと、
前記数えられた金額が、電信振替金額およびそのための取引料金をカバーする金額であることを確認するステップと
をさらに具えたことを特徴とする請求項１４記載の方法。
【請求項１６】
カードから電信振替のための支払いを選択するステップと、
前記カードを読み取り、送金先に振替される現金額に関係する前記カード上の借方記入を行わせるステップと
をさらに具えたことを特徴とする請求項１４記載の方法。
【請求項１７】
クレジットカードの使用を含むカードを提供するステップを含み、
クレジットカードネットワークを介して、ユーザのクレジットカードに請求される、振替される現金および取引料金の総額を通信するステップをさらに具えたことを特徴とする請求項１６記載の方法。
【請求項１８】
前記支払いは、スマートカードで行われ
前記スマートカードを読み取り、該カード上の金額が、振替される現金を含む取引の支払いのために十分であるか否かを確認するステップと、
前記スマートカード上に電信振替のための取引の金額を書込むステップと、
前記スマートカードをユーザに返却するステップと
をさらに具えたことを特徴とする請求項１６記載の方法。
【請求項１９】
電信振替の取引費用に対する領収書を印刷するステップと、
前記領収書をユーザに提供するステップと、
前記自動マシン内部に電信振替の取引記録を記録するステップと
をさらに具えたことを特徴とする請求項１４記載の方法。
【請求項２０】
ユーザの口座から支払いを選択するステップと、
前記ユーザのバンクへのモデムを含み、前記ユーザの口座から電信振替取引に対して支払うのに十分な金額を引き出すために、通信ネットワークを介して接続するステップと
をさらに具えたことを特徴とする請求項１４記載の方法。
【請求項２１】
現金、ユーザのクレジットカード、スマートカード又はユーザの口座からの引出しによって支払うオプションの中から支払い方法の選択を要求するユーザに対して表示が提供され、
前記ユーザは、電信振替に対する前記支払い方法の１つを選択することを特徴とする請求項１４記載の方法。
【請求項２２】
勘定支払いネットワークを介して勘定書の支払いを行うために自動マシンを使用する方法であって、
ユーザのカードを受け取り、ユーザがマシンを使用する資格を有することを識別するカード読取り装置を有する自動マシンを設けるステップと、
ここで、前記自動マシンは、
ユーザから現金を受納し、受け取った現金額を合計する現金受納装置と、
ユーザに現金を支払う現金支払い装置と、
取引を選択し、コマンドを入力し、マシンからの情報を受け取るためにユーザが操作可能なユーザインタフェース／ディスプレイと、
有資格ユーザのカードを受け取り、確認するカード受納装置と、
受け取った現金の合計額を含むユーザ用の領収書を生成する領収書生成装置と、
当該マシン内の書類受取り装置を含む書類キャッシング装置と、
書類の現金額を読み取る読取り装置と、
前記現金支払い装置からユーザに現金を支払う前に前記書類が一定の確率で有効な書類であることを確認する確認装置と
を含み、
前記自動マシンに接続された前記勘定支払いネットワークを介して支払われるのに利用可能な勘定書取引の選択をディスプレイに表示するステップと、
ユーザに表示されている勘定書の内ある勘定書を支払うため、勘定取引の１つを手動で選択するステップと、
現金による支払いを含む複数の支払い方法をユーザに表示するステップと、
前記勘定書の金額および勘定支払先の識別を読取るために、該勘定書を前記マシン内に挿入してステップと、
前記自動マシンから勘定支払いネットワークに接続するためのモデムを含む通信ネットワークを介して通信するステップと、
前記勘定書に対してユーザから受け取られる支払いの情報を送信するステップと、
前記自動マシン内に支払われる勘定書を格納するステップと
を具えたことを特徴とする方法。
【請求項２３】
カードによる支払いのオプションを選択するステップと、
読取りのためにクレジットカードを前記自動マシン内に挿入するステップと、
前記クレジットカードが前記勘定支払いネットワークで使用する資格を有することを確認するステップと
をさらに具えたことを特徴とする請求項２２記載の方法。
【請求項２４】
前記支払いカードは、スマートカードを含み、
前記スマートカードから勘定書を支払うために利用可能な資金を読み取るステップと、
前記スマートカードから勘定支払い取引および取引費用をカバーする金額を減額するステップと
をさらに具えたことを特徴とする請求項２２記載の方法。
【請求項２５】
前記支払いカードは、クレジットカードを含み、
電信振替取引によりクレジットカード口座に請求される金額を、モデムを介して該クレジットカード口座に通信するステップをさらに具えたことを特徴とする請求項２２記載の方法。
【請求項２６】
複数の勘定書を支払いのため選択するステップと、
各勘定書および該関連する取引料金の金額を合計するステップと、
支払い済みの勘定書、取引料金およびユーザによって支払われる合計金額を示す領収書を生成するステップと
をさらに具えたことを特徴とする請求項２２記載の方法。
【発明の詳細な説明】
【技術分野】
【０００１】
本発明は、現金自動預け払い機（ＡＴＭ）を採用したものまたはその改良物であるものを含んでいる自動預金システムおよびマシンに関する。
【背景技術】
【０００２】
ＡＴＭは、広範囲に利用可能であり、特に週末には現金自動支払いの用途でかなり頻繁に利用される。例えば、１台のＡＴＭが、１回の週末で２５万ドルの現金を自動支払いすることは珍しくはない。ＡＴＭユーザは、ＡＴＭカードと共に個人の識別番号（ＰＩＮ）またはパスワードを提供される。そのため、カードを紛失したり盗まれたりした場合でも、カードを見付けた人は、ＰＩＮ番号がないためＡＴＭカードを使用して資金を引き出すことはできない。一般に、ＡＴＭのユーザは、ユーザの当座預金口座、貯蓄預金口座から、もしくはクレジットカードからの貸付金として現金を引き出す。または、貯蓄貯金口座から当座預金口座に資金を振り替える。他の例では、ＡＴＭユーザは、自分の口座残高を確認する。いくつかの例では、現在一部のＡＴＭには、ユーザに対して現金の自動支払いというよりも印紙の自動販売を行ったりする収入増加の機会が提供されつつある。
【０００３】
ＡＴＭの所有者にとっては、ＡＴＭは比較的収益性が高いことが判明している。それでも、主に現在現金引き出し機として使用されているＡＴＭの収益性は向上させる必要がある。銀行と競合するのは、および銀行によって所有されるＡＴＭ機と競合するのは、「プロファイルされた顧客」に対していくつかの銀行型サービスを実行する地域の通貨為替である。プロファイルされた顧客とは、署名カードに署名した顧客、または地域における通貨為替のネットワークに入力された確認済み識別を有する顧客である。これらのプロファイルされた顧客は、その地域に限定されており、広大な地域または全国的なネットワークの一部ではない。しばしば、通貨為替にはプロファイルされた顧客の署名を伴うだけでなく、多くの場合顧客を常連ユーザの１人として認識する通貨為替エージェントが関わる。通貨為替では、一般にそのユーザの多額の給与小切手をキャッシングする。そのような取引の平均料金は、給与小切手の総額の１．６％である。高額の給与小切手がキャッシングされる場合、これはかなり実質的な収入となり得る。通貨為替は、プロファイルされた顧客の個人小切手をキャッシングすることで、ＡＴＭ機と競合する。最も多くの場合、通貨為替では、為替のためにプロファイルされていない顧客の個人小切手をキャッシングしない。しかし、通貨為替に関してリスクと小切手のような現金を想定しようとすると、顧客に課される取引料金は極端に高くなる（例えば、２０ドルまたはキャッシングする小切手金額の２０％）。
【０００４】
通貨為替に関する別の多額の取引項目は、為替の発行または為替のキャッシングである。そのような取引の料金は、平均して為替金額のおよそ１．８５％である。通貨為替に関するその他の大きな収入源は、電話、電気、ガス、および水道などの公益事業の勘定書や、ケーブル、テレビなどのその他の勘定書、またはクレジットカードの勘定書に対して顧客が支払いを行う際に徴収する料金である。一般に、通貨為替には、勘定書支払い取引のような、勘定書ごとに６０セントのサービス料金がかかる。通貨為替は、そのようなサービスの提供を目的に、地域の公益事業および／またはクレジットカード会社との契約に基づいて運営される。
【０００５】
通貨為替は比較的収益性が高いが、一方でそれらの運営コストの１つに従業員による金銭の盗難がある。さらに、従業員は、小切手もしくは為替をキャッシングするとき、または為替を発行するとき、時として間違えることもある。ＡＴＭ機とは対照的な通貨為替のもう１つの欠点は、為替が利用できる時間帯が限られていることである。それに対して、ＡＴＭ機では一般に毎日２４時間利用可能である。多くの場合、人々は、通貨為替で他人が関わることを好まない。または銀行に個人的な財政事情を知られたくない。そのため、現在通貨為替によって提供されている銀行型のサービスの一部またはすべてがＡＴＭ機によって提供されれば、人々は通貨為替よりもＡＴＭ機の使用を好むであろう。
【０００６】
しばしば、通貨為替は、地域の銀行の当座預金口座もしくは貯蓄預金口座を持たないか、またはＡＴＭ機を使用しないかもしくはＡＴＭカードを持たない地域住民によって使用される。従って、自動預金マシンに、小切手または為替のキャッシングのような、通貨為替または完全サービス銀行によって実行される機能の多くが備えられている場合、自動預金マシンにとって新しい顧客を獲得する機会が存在する。
【０００７】
１つの銀行から別の銀行に宛てて実行されるもう１つの銀行機能は、資金の電信振替である。電信振替は、普通、一般の人々は利用することができない。ほとんどの個人は、ビジネスとは対照的に、銀行に行ってお金を電信振替するよりも、一般にＷｅｓｔｅｒｎ  Ｕｎｉｏｎのような他の会社を介在させたり、またはＡｍｅｒｉｃａｎ  Ｅｘｐｒｅｓｓ  Ｃｏｍｐａｎｙを通して金銭を電信振替する。電信振替のコストは比較的高額である。平均的な電信振替コストは、１電信あたり、最低２００ドルの送金で１３ドル、５，０００ドルの送金では約２００ドルである。旅行をしているとき、または大学に通っている子供がいて、その子供がすぐにお金を受け取れるように子供の口座に電信振替できることが望ましい場合など、多くの例がある。自動預金マシンでの利用が可能であれば、そのような電信振替サービスは個人向けの比較的安価な電信振替方法を提供する。
【０００８】
完全サービス銀行と通貨為替として利用可能な新しい機会は、合衆国連邦政府のＥｌｅｃｔｒｏｎｉｃ  Ｂｅｎｅｆｉｔ  Ｔｒａｎｓｆｅｒ  Ｐｒｏｇｒａｍ（ＥＢＴＰ）に関与するものである。このＰｒｏｇｒａｍによって、社会保障の受給者にスマートカードが配布され使用されるようになる。退役軍人の年金または福祉給付金の支払いは、毎年合計５０００憶ドルにも達する。ＥＢＴＰカードを保有する人々は、すでに政府のネットワークに組み込まれている。これらのスマートカードは食券に取って代わることを意図している。食券の使用は、クライアントの困難につながる場合がある。スマートカードの残高に増加を書き込むとき、通貨為替と完全サービス銀行は取引料金を受け取る。さらに、サービス提供者は、スマートカードのユーザに各取引に対する料金を請求する。例えば、スマートカードを食物や公益事業の勘定書などの支払いに使用することによって、スマートカードの残高が減らされる場合である。このことは、電子自動預金マシンで、テレフォンカード、宝くじ券などのような、サービスや販売または品目に対する請求の支払いができるようになれば、適切な電子自動預金マシンとして利用可能な数多くの用途があることを示す。
【０００９】
ＡＴＭの所有者は、そのような収入増加の機会を利用し始めようとしている。例えば、ＡＴＭ機を通じて印紙を販売することである。これによって、ＡＴＭの所有者は、ＡＴＭからより多くの収入を得ることができる。例えば、劇場のチケット、宝くじ券、または印紙などのエンドユーザ品目は、ＡＴＭ機内の自動販売機から販売することができる。多くのエンドユーザ品目は、小切手または為替のキャッシングのような処理に要求される特別なセキュリティを必要としない。
【００１０】
いくつかのセキュリティ問題は、小切手または為替のキャッシングのような完全サービス銀行および通貨為替によって実施される機能を、ＡＴＭに追加することによって生じる。最も重要な問題は、現金と交換される書類の完全性である。特に、キャッシングされる小切手または為替の署名の照合である。さらに、様々な種類の書類の読み取りを可能にして、数多くの支払い方法をユーザに提供できるようにするには、現在市販されており一般の人々に広く使用されているＡＴＭを超える比較的高性能なマシンが要求される。小切手の問題は、読みにくい筆跡で書かれた署名の照合についてだけでなく、小切手の合法ライン上に通常筆記体で書かれる合計金額の読み取りについても生じる。加えて、小切手には優遇金額承認ライン（「ＣＡＲ」）である２行目があり、小切手の値を表す数字が書かれている。さらに、ほとんどの小切手については、磁気インキで銀行と筆者の口座を識別する。
【００１１】
小切手のキャッシング、勘定の支払い、またはリモート預金マシンから送られるその他の処理のような、取引に関する別の考慮事項は、取引を記録して、必要であれば、後で取引をマニュアルで見直すために監査証跡を残す必要性である。
【発明の開示】
【発明が解決しようとする課題】
【００１２】
小切手のキャッシングに対する支援のために、半自動システムが提案された。この半自動システムは、出納係によるお金の取り扱いを減らす。提案されたこのシステムでは、ユーザは、マシンを操作して、出納係の電子的な立ち会いのもとで小切手を換金することを要求される。この場合、出納係は、小切手をキャッシングすべきことを認めた後、キャッシングの機会を確認して、マシンのユーザに資金を自動的に支払うためにマシンを操作する。もちろん、そのようなマシンでは出納係の出席と存在が要求される。従って、依然として小切手をキャッシングするための完全な自動システムではない。
【００１３】
リモートＡＴＭタイプのマシンで経験したいくつかの機械的問題の中には、コインで釣銭を提供する問題がある。すでに、１回の週末で、ＡＴＭには非常に重い負担がかかっており、しばしば内容物は完全に空になる。ＡＴＭには両替機が備えられていない。コイン両替機を追加すると、かなりの費用が加算される。さらに、小切手をキャッシングしたりまたはその他のいくつかの機能を実行するユーザに正確な釣銭をコインで提供するには、マシンのメンテナンスの問題が加わる。
【００１４】
商業的に実用になる自動預金マシンの提供に伴う別の実際的な問題は、取引に必要な時間の問題である。好ましくは、取引は比較的簡潔で単純でなければならない。そうしておけば、タッチスクリーンを押したりまたはキー入力したりするような、取引ごとに要求されるオペレータの操作の回数が最小限で済まされる。特定の取引の所要時間が１または２分を超える場合は、システムはおそらくあまりにも遅くなり、忙しい時間や週末にマシンを使用しようと待っている人々の列を適切に処理することができない。さらに、マシンが完全サービス銀行または通貨為替の取引のような大量の取引を処理する場合、支払いを、現金、クレジットカード、スマートカード、または当座預金口座もしくは貯蓄預金口座からの引き出しによって行えるように、マシンは広範囲な資金送金や支払いオプションをユーザに提供しなければならない。
【００１５】
例えば、現金の引き出し、現金の預金、小切手のキャッシング、為替のキャッシング、為替の購入、資金の電信振替、勘定書の支払い、およびエンドユーザ品目の購入のような、いくつかのサービスオプションを実行することができるＡＴＭ型マシンなどを含む、自動預金マシンに対する需要がある。
【課題を解決するための手段】
【００１６】
本発明に従って、普通のＡＴＭ機能を実行することに加えて、出納係の存在または支援なしにユーザに対して為替および小切手のキャッシングを行う自動預金マシンシステムが提供される。更に、選好され例示される自動預金マシンシステムを使用して、現金をマシンに預けることができる。また、このシステムによって、電信振替、口座への現金の預金、またはマシンからのエンドユーザ品目の購入のような追加機能が提供される。好ましい、例示されたマシンによって、電信振替、勘定書の支払い、またはマシンからのエンドユーザ品目の購入のような追加機能が提供される。好ましくは、いくつかの額面全額をマシンに保存して、所与の取引について予定されるいずれの釣銭も電子的にカードに転送されるようにしておけば、小額面金額と釣銭がそれ程必要なくなる。
【００１７】
小切手または為替のキャッシングは、書類が有効であり、キャッシングが可能で、所望の取引を完了することができる見込みを確認するための、不正防止手段および手順を使用することによって実現される。不正防止手順は変更することができる。ただし、この手順は、通常、書類の署名と保存された署名との比較、ユーザの生物測定学的特性とユーザに特有の保存された生物測定学的特性との比較、ＬＡＲとＣＡＲの合計値の比較などのような比較機能を伴う。マシンで取引を完了させることができる十分な妥当性を得るために、ユーザによるＰＩＮ番号の使用などを含むいくつかの手順が使用される。例えば、マシンにＡＴＭカードを挿入したプロファイルされたまたは資格を与えられたユーザのものである筆記体の署名、小切手の筆記体合法ライン上およびドル金額行（ＣＡＲ行）上にある金額の読み取り、および小切手上に磁気インク文字で印刷された銀行識別および口座識別である。
【００１８】
本発明を具体化する好ましい小切手または為替のキャッシングマシンに従って、小切手または為替のキャッシング取引の監査証跡が、画像の保存によって作成される。この場合、書類の前および／または後ろの両方がスキャン入力される。また、保存画像を検索するために取引識別タグが提供される。
【００１９】
発明の別の形態に従って、自動預金システムマシンは、ユーザに対して小切手または為替をキャッシングすることができるだけではなく、いくつかの取引を完了するためにユーザから現金を受け取ることもできる。マシンは、マシンに挿入された現金を認識してから合計を計算する。さらに、マシンは、預金ネットワークに接続されたモデムなどを経由した通信を提供して、現金の合計または一部をユーザの口座に預金することができる。他方で、預金された現金は、勘定書の支払いまたは為替の購入のような別の取引にも使用することができる。ユーザは、マシン内の為替記入欄に金額を書き込む。書き込まれた後、マシンはユーザに為替を自動支払いする。自動化された方法および装置を使用して、ユーザは、宝くじ券、劇場チケット、切手などのような、マシンから自動販売される品目を現金で購入することができる。
【００２０】
発明の別の形態に従って、この方法および装置を使用して、資金を譲り受け人に預金ネットワークを通じて電信振替することができる。電信振替を実行するには、ユーザは、電信振替する宛先の銀行名と電信振替を受け取る人の口座番号を入力する。電信振替する資金を支払った後、マシンのモデムから預金ネットワークに電信振替が伝達され、そこから受け取り銀行の受取人の口座に伝達される。好ましくは、ユーザに対して、関連取引コストとともに電信振替された合計を示す領収書が発行される。好ましい発明の実施例では、電信振替の支払いは、現金、クレジットカード、スマートカードによって行われるか、またはユーザの口座から支払われる。
【００２１】
発明のさらに一層の実施例に従って、自動預金マシンおよび装置を使用して、ユーザによって支払い義務のあるインボイスまたは勘定書の支払いを行うことができる。自動預金マシンのユーザとして資格を与えられた後、顧客は、マシンを使用して支払い可能な勘定書を選択するディスプレイを参照する。ユーザは、支払うべき勘定書の種類を選択して、さらにディスプレイにて、現金支払いなどを含むいくつかの支払い方法の中から１つを選択する。支払われるべき勘定書は、マシンの中に挿入される。マシンによって、勘定書が、勘定書支払先の識別と口座番号とともに読み取られる。合計と支払人の識別を読み取ることは、そのような勘定書には数多くの異なるフォーマットが存在するため困難な場合がある。マシンは、モデムを通じて勘定書支払いネットワークと自動的に通信する。勘定書はビンの中に保存され、勘定書支払い取引に対して取引タグが提供される。好ましくは、支払い方法には、現金、クレジットカード、スマートカードによる支払い、またはユーザの口座からの支払いが含まれる。好ましい発明の実施例では、ユーザはいくつかの勘定書を支払うことができ、各勘定書とその関連取引料金の合計が蓄積される。最終的には、支払いの後に、支払い済み勘定、取引料金、およびそれらの勘定書の支払いに関してユーザによってもたらされた合計費用を示す領収書が作成される。
【００２２】
上記から、発明の好ましい、例示された実施例によって、通貨為替または銀行によって実施される数多くのサービスが実行される一方で、各取引に対する取引料金が請求されることで、自動預金マシンの所有者に収入増加の機会が提供されることが理解される。取引料金は、ユーザの口座からの引き出し、取引の支払い、ユーザの口座への預金、小切手または為替のキャッシング、資金の電信振替、勘定書の支払い、劇場チケット、宝くじ券のようなエンドユーザ品目の購入などに対して発生する。
【００２３】
本発明の別の形態は、コインまたは小額面金額の釣銭をユーザに供給する必要のない自動預金システムを提供することである。コインを供給する場合、両替装置の適切な機能を保持してコインを満たしておくことに関連したメンテナンスの頻度の問題や点検の問題のみでなく、複雑さと処理時間の問題も加わる。空のまたは故障した支払機によるコイン動作の停止によって、料金の発生しない他の取引を実行できるにもかかわらず、自動預金マシンのサービスが停止する結果となる。本発明のマシンは、コインの釣銭を供給するというよりも、クレジットカードまたはスマートカードの残高に釣銭の合計を転送して、保存されているカード残高に対して貸方記帳することによって、ユーザに同じ金額を電子的に供給したことにする。別の選択肢として、マシンは釣銭残高をユーザの口座に預ける。したがって、コインの釣銭を大量に保存して供給することが不要になる。
【００２４】
さらに、必要なサービスの合計金額を制限するために、選考されたマシンに１ドル紙幣を備えておく必要はない。例えば、最も小さい額面金額は５ドルであろう。好ましくは、現金支払いすることができる合計金額がほとんどの場合週末に再補充することなしに十分であるように、マシン内の現金ビンには５ドル紙幣と２０ドル紙幣のみを備えておく。
【発明を実施するための最良の形態】
【００２５】
例示のため図面に示されるように、本発明は挿入可能なＡＴＭカードを受け取る装置の構成部品と、容器の前壁１６のスロットまたは開口部１４を収納する容器１２を持つ装置１０を含む自動預金システムである。挿入スロット１４は通常のＡＴＭカード、クレジットカード、ＩＣカードまたはスマートカードを受け入れる。この挿入スロット１４は、ユーザのキーボード１８の真上、Ｄｙｎａ−Ｐｒｏ社が販売する型番ＤＴＦＰ９５６３３タイプのタッチ画面を備えるユーザ表示２０の真下に位置している。ユーザキーボード１８は命令信号をマイクロコンピュータ２１、本実施例では１３３Ｍｈｚペンティアム（登録商標）ベースのパーソナルコンピュータに供給するソフトウェアを記憶するための２．１ギガバイトのハードディスクドライブと、命令および演算子を記憶する３２メガバイトのランダムアクセスメモリと、１つのＩＳＡバスと、１つのＰＣＩバスと、１つのシリアルインターフェース、および１つのパラレルインターフェースを有する（図３）。マイクロコンピュータ２１は、Ｗｉｎｄｏｗｓ（登録商標）９５環境下でアプリケーションソフトウェアを実行し、他のアプリケーション間でユーザ用キーボード１８のキーストロークおよび以下に記載の他の入力デバイスからの信号に反応する。このマイクロコンピュータ２１は、マイクロコンピュータ２１が実行するソフトウェアおよび送受信信号へ接続される入力デバイスからマイクロコンピュータ２１が受け取る様々な信号に反応して出力ディスプレイ２０を駆動させる。
【００２６】
挿入カードスロット１４のすぐ真後ろには磁気カード読取り装置２２が位置し、（図４）その磁気カード読取り装置はＡＴＭカードを読み取り、信号をシリアル通信カード２１ａを通じてマイクロコンピュータ２１へ送信し、マイクロコンピュータ２１を通じて直ちに、操作のためにすべてのハードウェアおよびソフトウェアパラメータの初期化を行う。タッチ画面２０は、後に説明するように、機械が口座番号およびドル紙幣枚数によって占有されているイメージの領域を認識する際にユーザの支援を提供している。図のキーボード１８はとても頑丈で、荒っぽい使用にも耐える、メリーランド州シルバースプリングスにあるＥｖｅｒｓｗｉｔｃｈ  ＵＳＡ社製造のモデル３００のような産業用キーボードである。好ましいディスプレイ２０は、ソニー社販売のフラットＬＣＤ表示である。キーボードと表示パネルは、頑丈で、壊れにくく、使いやすく、泥棒や犯罪者が破壊あるいは機会から不法な入手資金の乱用をできにくいと考えられているので、厳選されたものである。マイクロコンピュータ２１へ接続されているバックアップストレージ装置２３は、ハードドライブに保存しているソフトウェアとデータのためにより高いセキュリティを提供している。
【００２７】
「挿入カードと照合画面」と題する図８のフローチャートと関連して示されるように、ユーザは画面表示２０上でウェルカムメッセージおよび預金（またはＡＴＭ）カードを挿入し、預金ネットワークに関するパスワードを検証するプロンプトを確認する。ユーザは取引の言語として、図８Ｆに示されるように英語またはスペイン語を選択するように促される。そして、ユーザは画面表示にタッチして、翻訳言語として英語またはスペイン語を選択する。
【００２８】
カード挿入ルーティーン３００において、磁気ストライプ識別情報カードがカード読取り装置に設置されたかどうかを決定するためのテストがステップ３０２で行われる。設置されていない場合には、制御によりステップ３０４へ移動し、ユーザにカードスロットを通じてカードを挿入するように促される。カードはステップ３０６において読み込まれ、ユーザは促されてステップ３０８でパスワードを入力する。モデム２９上で通信する際、預金ネットワークでパスワードが検証できるかどうかを決定するテストがステップ３１０で行われる。パスワードが検証できない場合は、ステップ３１２でパスワードの入力が３回まで許されるテストが行われる。ステップ３１４において３回の試行が失敗すると仮定して、不正パスワードメッセージが表示され、ループバックをステップ３０８へ処理する。パスワードがステップ３１０の後に不正であることがわかると、取引はステップ３１６へ進行する。ステップ３０６の結果として、取引が取り消される場合、別の取引が要求されるかどうかテストするステップ３２０へと制御が移される。この処理は、図１５Ａと１５Ｂで示される画面表示によって例示するように、ユーザが答えるよう画面上で催促されて行われる。その選択は、図１５Ａにおいて示されるように、または図１５Ｂにおいて示される画面表示の概略表示された部分とのタッチ画面の接続によって、キーパッド２６および２７で行われる。その選択が行われると、サービスオプション画面３２２が表示される。選択されなければ、ステップ３２４においてカードがカード読取り装置に入っているかどうかを決定するテストが行われる。カード読取り装置が中にカードを有していない場合は、開始画面がステップ３２６において表示される。カード読取り装置がカードを有している場合は、ステップ３２８において顧客へカードを取り出す。パスワードが３回以上入力される場合には、カードを飲み込みまたは保管してカード容器に置くようにステップ３３０へ制御が移される。ステップ３３２において、カードが保管されましたというメッセージがタッチ画面上に表示され、タッチ画面はその後ステップ３２６において開始画面を表示する。
【００２９】
図８Ａにおいて示される表示は、ユーザにカードを挿入するように促す。カード挿入後、図８Ｂにおいて示されるように、表示はユーザにＰＩＮまたはパスワード番号を入力するように促される。入力パスワードの処理は、図８Ｃにおいて示される。不正パスワードがカードで用いられる場合、画面表示は、図８Ｄにおいて示されるように、「不正パスワード」という言葉を表示し、ユーザに「もう一度行ってください」と促す。その後のまたは第２のパスワードが不正である場合、機械はカードを保管し、画面表示は、図８Ｅにおいて示されるように、まだ不正パスワードがありますという文およびカードは保管されていますという文を画面上に示す。そのカードは、機械に「飲み込まれて」しまった。そのカードは、その機械を所有する金融機関に交渉することでのみ、返却が可能になる。カードを検証し、モデム２９またはそれに類似のモデム上で預金ネットワークでのパスワードとＰＩＮ番号を検証した後、マシン１０は取引を進行する準備をする。モデム２９は、シリアルインターフェース２１ａを通じて接続されているマイクロコンピュータ２１と通信する。
【００３０】
ユーザ表示画面２０は、図９において示されるように、その時ユーザに役立つ取引のオプションを表示する。そのオプションには、１）引出し２）預け入れ３）残高照会４）為替換金５）為替購入６）電信振込み７）支払い８）購入（宝くじ券、印紙およびテレフォンカード）を含む。図９に示される表示はパネルディスプレイ２０上にあり、一組の側面の追加のキーパッド２６および２７（図１および６）に隣接しており、そのキーパッドは上記のオプション１〜８に並べられた矢印キーを有する。すなわち、番号「１」、画面２０上の「引出し」の反対側の矢印キー２６ａを押すと、引出しを開始する。一方、キーの右側のバンクの２番目の矢印キー２７ａの操作によって、以下に述べられるように、「為替購入」が開始される。
【００３１】
ユーザが、矢印キー２６ａの反対側の番号「１引出し」を押して、「１」引出しオプションを選択したと仮定すると、画面表示２０はその時、引出しのための口座へ（例えば、当座預金または貯蓄口座から）の要求を表示する。これは、矢印キー２６ａおよび２６ｂの反対の画面表示上に「１ＣＨＥＣＫＩＮＧ」および「２ＳＡＶＩＮＧＳ」の表示で、図１０において示されている。ユーザが当座預金からお金を引き出したいと仮定すると、ユーザは矢印キー２６ａを押す。画面表示２０はその時、「当座預金からのお引出し」と書かれた表示と、「２０」、「４０」、「５０」、「１００」、「２００」という金額およびキー２６ａ〜２６ｃと２７ａ〜２７ｃのそれぞれの選択の反対側に載っている他の番号を有する図１１を示す。例えば、特定の矢印キーの１つを操作することによって、当座預金から引出しのための矢印キー２０ドルは、図１１Ａにおいて示される「ＷＩＴＨＤＲＡＷｓｃｒｅｅｎ」と題したフローチャート上に示した多くのオペレーションを実行するために装置１０の他の位置に信号を出す。
【００３２】
ステップ３４０において引出し画面が使用され、ステップ３４２においてユーザは画面によってカードを挿入するよう促され、確認画面が表示される。カードが検証されると、ユーザが現在の引出金額から選択できるステップ３４４へ制御が移される。ユーザが取引の取消しを選択する場合、制御はステップ３４６に移り、別の取引をテストする。ユーザが事前に準備された引出し口座から選択しないことを選択すると、ユーザは引出金額に５ドル分の増加をステップ３４８において入力でき、または取引を取り消すことや他の取引テスト、ステップ３４６へと進むこともできる。引出金額に５ドルの増加を入力したと仮定すると、引出取引はステップ３５０において預金ネットワーク上の当座預金を経由して実行される。ステップ３５２において、現金支払い装置は引出金額を支払い、ステップ３５４において、領収書が印刷される。追加の取引プロンプトのためのテストを行うステップ３４６へ制御が移される。制御が移ると、サービスオプション画面がその時ステップ３６０に表示される。制御が移らなければ、カードはステップ３６２においてカード読取り装置から取り出され、開始画面がステップ３６４において表示される。
【００３３】
接続がその時、預金ネットワークを経由して銀行の顧客口座にアクセスするために電子ネットワークとモデムによって行われ、また同時に現金で２０ドル支払うために現金支払い装置３０（図１および５）の操作が始まる。現金支払い装置は、図２４において示されるようにシリアル通信装置２１ａを通じてそれと接続しているマイクロコンピュータ２１と接続する。
【００３４】
本明細書において現金支払い装置３０は、ＡＴＭ機械で使用される典型的な現金支払い装置である。図の現金支払い装置はＧ＆Ｄ  Ａｍｅｒｉｃａ社製のモデルＡＣＤであり、Ｇｉｅｓｔｃｋｅ  ａｎｄ  Ｄｅｂｒｉｅｎｔ  Ａｍｅｒｉｃａ社によって製造されている。図で示される現金支払い装置３０は、４つの（４）箱を有する。それぞれの箱は、４００枚の紙幣を保有できる。好ましい現金支払い装置３０は、１つの箱に５ドル紙幣を４００枚積む。他の３つの箱はそれぞれ２０ドル紙幣を４００枚積む。多かれ少なかれ箱と異なる現金支払い装置も本明細書において述べられている以上の枚数を試用する可能性があることは明白である。
【００３５】
図で示される好ましい現金支払い装置３０は、図５において示されるように、再び積み上げるためには右へ水平にスライドさせて取り付けられ、そこでは容器１２上に取り付けられたスライドトラック３２をサポートしている。支払われる現金は伝送管３６を通じて軸回転の扉４０を有するホッパ３８に落とされる。軸回転のアクセス扉４０は支払われた現金を支払い現金箱４２へ落とす。図６において示されるように、支払われた現金を取り出すために、ユーザは正面の容器の側面１６の現金箱の窓４６を通じて手を伸ばし、現金箱４２から現金を取り出す。図７Ａにおいて示されるように、容器１２の内部と現金を補充するための現金支払い装置３０へのアクセスは、後部の容器の扉４４を通じて可能である。後部の容器の扉４４は、２重のセキュリティロック４７ａと４７ｂおよびハンドル４８を有する。後部の容器の扉４４を開くと、現金箱にアクセスでき、トラック３２に沿ってスライドできる。２重のセキュリティロック４７ａと４７ｂは通常のＡＴＭ方式における現金保管部分のためにセキュリティを提供できる。
【００３６】
ユーザが引出し取引のための画面２０上で「貯蓄口座」を選択したならば（図１０において示されるように）、画面表示２０上の「貯蓄口座」プロンプトの反対側の矢印キー２６ｂを押していただろう。図１０において示されるように、画面２０はその時、「ＷＩＴＨＤＲＡＷ  ＦＲＯＭ  ＳＡＶＩＮＧＳ」プロンプトを有する貯蓄口座画面からの引出しを表示する。ユーザは、引き出される金額に５ドル分の増額を入力するように要求される。この例において、ユーザは５００ドルすなわち貯蓄口座から引き出される金額をタイプするキーボード操作を行う。そのような状況では、引出画面と図１２において示されるフローチャートが、預金ネットワークに通じるモデムによって貯蓄口座から引出しを実行するように使用され、現金支払い装置３０はその時ユーザが取り出すために、現金を現金箱４２に払い出すように操作される。
【００３７】
当座預金からの引出しでも貯蓄口座からの引出しでも、図１および３において示される領収書印刷装置５０によって領収書を印刷することが好ましい。領収書印刷装置は、パラレル通信装置５１を通じてコンピュータ２１に接続される。領収書印刷装置５０は、それが送り出し発行する、この例においては、容器１２の正面１６にある領収書払い出しスロット５２からの印刷された紙の領収書を払い出す。ユーザは、その時引き出された金額を表示するだけでなく取引手数料を表示する領収書を受け取る。このように、当座預金からまたは貯蓄口座からの取引に対する引出し合計額は、支払われた現金だけでなく、取引手数料（例えば取引ごとに１ドル）も含む。
【００３８】
図に示された領収書印刷装置５０は、ニュージャージー州ピスカタウェイにあるＳｔａｒ  Ｍｉｃｒｏｎｉｃｓ  Ａｍｅｒｉｃａ社製造のモデルＭＰ３４２Ｆであることが好ましい。領収書印刷装置５０は、印刷後の領収書を切り取るための自動カッターを備えている。本明細書に記載のもの以外の領収書印刷装置または領収書作成機も、明らかに使用できる。
【００３９】
開始画面は、図９Ａにおいて示されるように、ステップ２２０において表示される。ステップ２２２において、すべてのハードウェアとソフトウェアのパラメータは初期化される。ステップ２２４において、選択を入力するようにサービスオプション画面が表示される。それらは、引出し画面２２６、預け入れ画面２２８、残高確認画面２３０、為替換金画面２３２、為替購入画面２３４、電信振込み画面２３６、支払い画面２３８、購入画面２４０である。
【００４０】
今度は、ユーザが図９に示されるように預け入れ＃２オプションを選択し、当座預金からまたは貯蓄口座に預け入れをしたいと仮定したら、ユーザは「ＤＥＰＯＳＩＴ」の反対側のキーパッド２６の矢印キー２６ｂを押しただろう。この行動は、当座預金または貯蓄口座への預け入れをするかどうかという要求をすることになる。預け入れが当座預金になされた場合は、図１３のフローチャートは以下でより一層詳細に述べられるであろう装置１０によって実行されたステップを示している。
【００４１】
預け入れ画面は、ステップ３８０において表示されるが、カードの挿入を要求し、ステップ３８２において確認画面を表示する。カードが挿入されない場合は、他のどんな取引が実行されるかをテストするステップ３８４へ制御が移される。それが実行されると、ステップ３８６においてサービスオプション画面が表示される。実行されなければ、ステップ３８８においてカードは取り出され、ステップ３９０において開始画面が表示される。カードが検証された状況では、ステップ３９２においてユーザに預け入れの形式に対するプロンプトが表示される。ユーザが取引を取り消す選択をした場合、ステップ３８４へ制御が移される。ユーザが「Ｃａｓｈ」を選択する場合、現金預け入れ画面が、ステップ３９４に表示される。「Ｃｈｅｃｋｉｎｇ」を選択する場合、当座預け入れ画面がステップ３９６において表示され、「Ｍｏｎｅｙ  Ｏｒｄｅｒ」を選択する場合、為替預け入れ画面がステップ３９８において表示される。その時ステップ４００へ制御が移され、選択された取引が預金ネットワークを通じてモデム２９によって実行される。ステップ４０２において、領収書は印刷され、その時他の取引テスト、ステップ３８４へ制御が移される。
【００４２】
当座預金への預け入れ画面表示（図１３Ａ）はユーザに「ご自身の当座預金に何をお預けになりますか。１）現金、２）小切手、３）為替」という質問を促す。ユーザが小切手を預け入れることを選択した場合、小切手の取引が図１３Ｂに示されるようにキーパッド２６の矢印キー２６ｂを押すことによって選択され、要求はその時小切手の金額のためのウィンドウ５２の反対の「ＤＥＰＯＳＩＴ  ＣＨＥＣＫ」と題した画面表示２０上に表示される。ウィンドウ５２において、オペレータはその時６７５．５２ドルの預け入れ金額を入力するためにキーボード１８を使用する。この例では、図１３Ｂに示されるように１ドルの金額におけるサービス金額もユーザに表示される。ユーザが小切手に金額を書いていなかった場合は、ユーザは金額を入力する際に、図１３Ｃに示される金額を確認し、「小切手を走査装置スロットへ挿入する準備ができた時、小切手の裏にサインしてください」とユーザに要求する。走査装置スロット５４は、図１および６に示されるようにユーザ画面２０の上に位置する。この例において、小切手は垂直に挿入される。図に示されたスロット５４はおおよそ４インチ（約１０．１６ｃｍ）×９インチ（約２２．８６ｃｍ）であり、以下に述べられるように、挿入された小切手はこの垂直の位置で検査される。小切手がスロット５４に入ると、給送ローラーによって引っ張られ、フィーディングトラック５６（図２）に沿って移動する。小切手は直接中に送られ、その後小切手が検査され小切手の両面のイメージを捉えるイメージングステーション５５で止まる。スキャニングと確認のフローチャートを図１４に示している。それは、機械のソフトウェア制御と操作に関して以下でより一層詳細に述べられている。このフローチャートに示されるように光学式文字認識装置（ＯＣＲ）走査装置が書類を検査する。磁気インク（ＭＩＣＲ）読取り装置が小切手上の磁気インクデータを検査し、磁気インクデータには銀行確認番号だけでなくユーザの銀行当座預金番号も含む。また、小切手がこの止まった位置にある場合、法律文が読み取られ、小切手が正しい金額であるかどうか（この例では、６７５．５２ドル）を検証するためにＣＡＲラインが検査される。また、小切手がこの垂直の位置にある場合、小切手の両側のイメージを把握するために反対側に配備されたおよびＳＣＳＩ装置５９を通じてマイクロコンピュータ２１に接続されるカメラ装置５８および６０（図２）を有することが好ましい。イメージはＴＩＦＦ形式の磁気記録媒体で保存され、図１４に示されるように、イメージファイルが後に必要とされる時にアクセスできるようタグが付けられる。
【００４３】
スキャニング操作の初めには、小切手のイメージは小切手が正確に挿入されたかどうか確かめるための処理が行われる。スキャニング操作４２０において、書類はステップ４２２において走査装置スロットに挿入される。カメラ装置５８および６０を使用する走査装置は書類の両側を検査し、ステップ４２４における磁気変換機経由で磁気インクデータを読み取る。書類はステップ４２６における保護エリアに置かれ、磁気インクデータの有無に基づき書類が小切手か為替かどうかについての決定がステップ４２８で行われる。小切手はまた、ステップ４３０において書類が正確に挿入されたかどうかを決定される。もし、正確に挿入されない場合、書類はステップ４３２において、書類スロットから取り出され、ステップ４３４において書類が正確に挿入されていない場合、制御が移されステップ４２２へ戻るようにタッチ画面が表示する。書類がステップ４２８で決められたような小切手または為替でない場合、書類の両面にタグ付きのイメージファイルフォーマットで保存されるように制御がステップ４４０へ移される。書類がステップ４３０においてテストされるように正確に挿入された場合、書類の両面はステップ４４０において保存される。ステップ４４２において、イメージは、カルフォルニア州サイディエゴにあるＭｉｔｅｋ社によって供給される形式の金額認識ソフトウェア、特にそのＱｕｉｃｋｓｔｒｏｋｅｓ  Ｖｅｒｓｉｏｎ２．５ソフトウェアによって分析される。ステップ４４２から制御がそのソフトウェアに移され、図２５において最善とみなされるようにステップ４５０においてソフトウェアが実行される。ステップ４５２において、ソフトウェア認識装置が作られ、初期化される。その形式ファイルはステップ４５４において読み取られ、またその形式ファイルは優遇金額が認識され、サインが書類内の項目に保管されるような位置を含む。ステップ４５６において、検査されたイメージファイルが読み込まれ、ステップ４５８においてＱｕｉｃｋｓｔｒｏｋｅｓソフトウェアに含まれる中立ネットワークが、優遇金額認識を行うスペースおよび金額承認ラインに書かれた文字と同様に署名ラインに書かれた文字を認識する。認識された文字はその時、ステップ４６０における現在の信用レベルの観点から評価され、それらの文字の一連の文字表示がより検証されるため図１４において記載のソフトウェアに返される。今度はステップ４７０における図１４に関して、署名の検証を表す文字のつながりだけでなく、書類の金額も支払いの確認のためにモデム２９によって、銀行ネットワークへ送られる。確認がない場合には、ステップ４７２へ制御が送られ、書類が書類スロットから取り出され、ステップ４２４において書類拒否メッセージが表示される。ステップ４７６において、現在の取引が否定される。書類がステップ４７０において確認される状況では、小切手または為替が受取書類箱に積み重ねられ、現在の取引の確認はステップ４８０において預金ネットワークへ送られる。
【００４４】
イメージが保管されると、ユーザによる検索のために小切手は、Ｕ字形の送り装置６１を回って容器側面１４にある取出しスロット６１ａに戻って運ばれる。取出しスロット６１ａは挿入スロット５４と並んで左側にある。小切手が再び正確に挿入され、両面のイメージが把握できたと仮定した場合、小切手は、小切手給送トラックのエスクロまたは保護エリア６４に送られる。保護エリア６４は、図２４において示されるように、シリアル通信装置２１ａを通じてマイクロコンピュータ２１と通信する。図４のエスクロエリア６４において最善とみなされるように、小切手は権利を得て受け入れられる場合に保管箱６６に預け入れるため、または小切手の預け入れ取引のために保持され、署名の検証の失敗が小切手の預け入れを拒絶してしまう場合ユーザによって取り出すために小切手はエスクロエリアから取出しスロット６１ａへ送られる。預金ネットワークがモデム２９によって装置１０の他の部分へ接続され、小切手が検証される場合、預け入れ金額は預金ネットワーク上で識別された銀行と識別された預け入れのためのユーザの口座へ送られる。領収書印刷装置５０はその時、預け入れ金額から取引料金１ドルを差し引いた金額を表示して、書かれた領収書をユーザに提供するために操作される。
【００４５】
今度は図２Ａおよび２Ｂに関して、為替または小切手を取り扱う書類がより一層詳細に述べられる。小切手はスキャナスロット５４を通じて垂直に挿入され、小切手が挿入されたか感知する対の最初の赤外線センサ１０１および１０２の前を通り過ぎる。これらのセンサは、内部でイメージングステーション５５へ延びる対の空き並行板１０３および１０３ａを含むガイドまたは給送トラック１００の反対側にある。赤外線センサ１０１および１０２を越えるとすぐ、書類の挿入を感知し、圧力ローラ１０５が小切手を板１０３に押す。小切手は、１組の赤外線センサ１１０および１１２を過ぎて前面に押し出される。その１組の赤外線センサ１１０および１１２は、小切手が十分にスキャナスロットに挿入され、イメージングステーション５４のイメージスキャナ５８および６０の間の入力スロット１１４を通じて実行される給送ベルト１１２によって挟まれる時に小切手を検出する。給送ベルト１１２はイメージングステーションを通じて大型ローラ１２１へと延びている（図２Ｂ）。小切手は、その途中においてイメージングステーション５４で止まる。そこでは、小切手の両面のイメージを撮るビデオまたは他のスキャナ５８および６０を撮るイメージである。光学式文字認識読取装置は、銀行と顧客口座のために磁気インク認識文字を読み取る。イメージ受取装置５８および６０からの電子シグナルは、この例においては、小切手、合法ラインおよびその上に書かれた金額、ＣＡＲラインおよびその上に書かれた金額に関する情報を提供し、これらすべては磁気的に保存され、後に把握できるようにタグ番号が与えられている。
【００４６】
図２Ｂにおいて最善と見られるように、Ｕ字形トラック１２０は大型ローラ１２１のまわりに取り付けられ、進行方向を逆転させるようにまた、小切手ガイドトラック１００の板１２２と１２３の間のスロットに動かすように、小切手をエスクロエリア６４の入り口に届く小切手を感知する１組の入り口の赤外線センサ１２５および１２６へ案内する。給送ベルト１１２は歯車の合うタイミングベルトであり、ドラム１２１のまわりにおよび板１２２と１２３の間のエスクロエリアへの入り口に小切手を運ぶ。歯車の合う給送ベルトは、ステッパモータによって運ばれ、ガイドローラー１２７のまわりに運ばれる。
【００４７】
エスクロまたは保持領域６４には、小切手（ｃｈｅｃｋ）を最初に上方に搬送し、左方へ保持領域中に搬送し、そこから保持領域６４の上の保管ビン６６中に搬送するための送りコグドベルト１３１を駆動する、大きなベルト駆動ドラム１３０が設けられる。小切手が拒絶される場合には、送りベルト１３１はその進行方向を逆にし、放出スロット６２を介して小切手を放出する。駆動ローラ１３０は、ローラ１３０の頂部に取り付けられたステッパモータ１３２を含む。ステッパモータ１３２の回転を逆にして、ドラム１３０および送りベルト１３１を反対向きに、制御された距離だけ回転させることができる。
【００４８】
赤外線センサ１２５および１２６は、撮像ステーション５５からエスクロ領域６４中への小切手の通過を感知する。送りベルト１３１は、保持領域の頂部まで、一連の案内ローラ１３４ａ、１３４ｂ、１３４ｃ、および１３４ｄに沿って案内され、これらを通って進行する。エンドレスタイミングベルト１３１は頂部案内ローラ１３４ｄの周りで回転し、下向きに、また右方へ進行してローラ１３６を通過し、図２Ａから分かるように、ドラム１３０の側面に戻る。
【００４９】
小切手は、４組のプレッシャローラ１４０ａ、１４０ｂ、１４０ｃ、および１４０ｄによってタイミングベルト１３１に押し付けられ、タイミングベルトとともに進行する。保持領域の頂部には、小切手の上縁部の到着を感知するもう１つの赤外線センサ１４１および１４２の対があり、これらは、小切手の下端が保持領域の底部にあるローラ１４０ａおよび１３４ａのところまたはその上にあり、放出スロット６２と位置合わせされている状態で、小切手が保持領域中に完全に移動したことを通知する。小切手が受け入れられた後で、ステッパモータ１３２が回転し、ドラム１３０および送りベルト１３１を駆動し、小切手を上向きに、上方の保管ビン６６中へ進行させる。これに対して、小切手が受容不可能であるとして拒絶された場合には、送りベルトは逆に下向きに進行し、放出スロット６２を介して小切手の下端を押し出し、これをユーザに戻す。案内板の下端およびばね案内フィンガ１４７は、出てくる放出された小切手を案内し、位置合わせされた放出スロット６２まで短い案内板１４８に沿って滑らせ、進行させる。保持トラックの底部にある赤外線センサ１５０および１５１（図２Ａ）は、いつこのマシンのユーザによって小切手が放出スロットから取り除かれたかを感知する。
【００５０】
保管取引中には、画面ディスプレイ２０は、図１３Ｄに示すものなどの確認メッセージを、ユーザが見ているウィンドウ６９中を左から右に進むバーのかたちで示すことになる。受取は受取プリンタ５０によって生成されるので、画面ディスプレイ２０（図１３Ｅ）は６７４．５２ドル「ＷＩＬＬ  ＢＥ  ＤＥＰＯＳＩＴＥＤ  ＩＮＴＯ  ＹＯＵＲ  ＡＣＣＯＵＮＴ．  ＰＬＥＡＳＥ  ＴＡＫＥ  ＴＨＥ  ＲＥＣＥＩＰＴ  ＷＩＴＨ  ＹＯＵ」と示すことになる。
【００５１】
小切手を当座口座に預金するのではなく、ユーザが普通預金口座に預金することを選択した場合には、画面は、図１３Ｆに示すように普通預金口座への預金を表示することになる。この場合には、ユーザは、「ＣＨＥＣＫ」の矢印キー２６ｂを押し、小切手は、当座への預金に関連して上述したのと同様に預金されていることになる。現金受取は、当座口座への預金の場合に現金受取が生成されたのと同様に、ユーザに提供されることになる。
【００５２】
ユーザが当座に現金を預金することに決め、図１３Ａの表示画面のキーパッドの＃１現金ボタン２６ａを押した、または普通預金に現金を預金するための同じボタンを押した（図１３Ｆ）ものと仮定すると、プロセッサは、図１３Ｈに示す現金預金流れ図の各ステップをたどることになる。
【００５３】
図１３Ｈに示す現金預金プロセス５００では、現金受取器は、ステップ５０２で初期化される。貨幣は、ステップ５０４で現金受取器に挿入され、それにより受け入れられる。紙幣は読み取られ、ステップ５０６で現金ビンに転送され、その中にある紙幣全体がステップ５０６で合計される。ステップ５１０でユーザがさらに多くの紙幣を現金預金中に預金することに決めた場合には、制御はステップ５０４に戻される。そうでない場合には、制御はステップ５１２に移り、預金取引きは続行される。
【００５４】
図１３Ｇに示す現金を預金するためのユーザ表示２０は、プロンプト「ＰＬＥＡＳＥ  ＩＮＳＥＲＴ  ＹＯＵＲ  ＢＩＬＬＳ  ＩＮＴＯ  ＴＨＥ  ＡＣＣＥＰＴＯＲ  ＳＬＯＴ  ６０、ＷＨＩＣＨ  ＩＳ  ＳＨＯＷＮ  ＩＮ  ＴＨＥ  ＲＩＧＨＴＨＡＮＤ  ＳＥＣＴＩＯＮ  ＡＢＯＶＥ  ＴＨＥ  ＣＡＳＨ  ＤＩＳＰＥＮＳＥＲ」を表示することになる。図５で最もよく分かるように、現金自動支払機の引受スロット６０は現金受取器モジュール６２につながり、これが現金、特に１ドル、５ドル、１０ドル、または２０ドル単位の紙幣を受ける。図２４に示すように、現金受取器モジュール６２は、複数の限流抵抗を有する抵抗ネットワーク６２ａを介してコンピュータ２１に接続される。抵抗ネットワークはディジタルＩ／Ｏボード６２ｂに接続され、これは本実施例ではＮａｔｉｏｎａｌ  ＩｎｓｔｒｕｍｅｎｔｓのＰＣ−ＤＩＣ−９６である。ディジタルＩ／Ｏボード６２ｂは、コンピュータ２１に結合される。現金受取器モジュール６２は、預金された紙幣をカウントし、カウントした紙幣を受けるためのビンをホッパ６４中に有する。現金受取器モジュール６２は、６６に枢動可能に取り付けられ、点線の位置まで振られ、預金された紙幣を空にする。好ましい現金受取器モジュール６２は、単に挿入された紙幣を積み重ね、これをカウントするだけである。現金受取器モジュール６２は、Ｍａｒｓ  Ｅｌｅｃｔｒｏｎｉｃ  Ｉｎｔｅｒｎａｔｉｏｎａｌ製のＣａｓｈ  Ａｃｃｅｐｔｏｒ  Ｍｏｄｅｌ  ＡＬ４−Ｌ１−Ｕ１Ｍであることが好ましく、これは入手可能ないくつかの現金受取器のうちの１つである。これは、紙幣を積み重ねて機械中で保持するだけでなく、現金の総額の合計も行う。図１３Ｈに示す現金の流れ図について、以下でソフトウェアおよびこの機械全体の制御に関連してさらに詳細に述べる。預金取引きは、図１３Ｈの流れ図から図１３の流れ図に戻って進み、モデムおよび銀行のメソッドを通って進み、ユーザの当座口座または普通預金口座への預金を行う。マシン１０は、受取スロット５２を介してユーザに与えるべき受取を印刷するよう受取プリンタ５０を動作させ、預金された金額が、この例では１ドルとして例示する取引き手数料未満であることを示す。
【００５５】
現金を預金するときには、図示の現金受取器６２は受け取った現金を総計し、４５ドル預金されているところへさらに２０ドル預金され、図１３Ｊに示すように総預金が６５ドルとなることを示す画面２０に示すように、この預金されている現金を示す。次いで、受け取りプリンタ５０で受取が印刷され、ユーザはユーザの口座に６５ドル預金されることになることを通知される（図１３Ｋ）。
【００５６】
ユーザは、図３および図９のオプション画面によって促されたとき、矢印キー２６ｃを押して小切手キャッシング取引を開始することを選択したと仮定すると、ユーザディスプレイ２０は小切手の額をウィンドウ６８（図１６）中に入力するようユーザに促す。小切手のキャッシングに関する流れ図を図１６Ａに示す。
【００５７】
現金検査プロセスは点５２０において開始され、その結果、磁気カード読取り装置はステップ５２２で磁気識別情報カードを受容し、検証画面を表示する。ユーザはステップ５２４へ移ることによって取引を出ることができ、そこでユーザは他の取引について促される。そうでなければ、ステップ５２６で小切手の額が入力され、小切手が走査され、上述のようにステップ５２８で確認される。次いでユーザはステップ５３０で現金で受け取るべき額を入力し、ステップ５３２で預金ネットワークにアクセスして、小切手がキャッシングされる残高を有するかどうかを決定する。そうであれば、ステップ５３４で、現金支払い装置は現金額で現金を支払い、ステップ５３６で領収書印刷装置によって領収書が印刷される。次いで制御権がステップ５２４に移され、他の取引が必要な場合、ステップ５２６でサービスオプション画面にアクセスする。他の取引が不要な場合、制御権はステップ５２８に移され、カードがカード読取り装置から排出され、ステップ５３０で歓迎画面が表示される。
【００５８】
ユーザが図１６Ｂに示される９０．９９ドルなどの額をキーボード１８を介して入力する。額は走査され、確認され、１ドルのサービス料金が図１６の画面ディスプレイ上に示される。ユーザはキーパッドの適切なボタン２６または２７を押すことによって取引を継続するか、またはそれをキャンセルすることを選択する。図１６Ｈに示されるタッチ画面ディスプレイによれば、ユーザはＣＯＮＴＩＮＵＥまたはＣＡＮＣＥＬで示されるディスプレイの部分に触れることによって選択を行うことができる。ユーザが小切手の裏に署名していない場合、ユーザは署名するよう要求される（図１６Ｃ）。小切手が走査装置から見て逆方向に挿入された場合、小切手は拒否された材料出口スロット６２から戻される。ユーザは小切手を逆にし、それを今度は正しい垂直位置で挿入スロット５４中に挿入する。そこから小切手は走査中の撮像ステーション中に運ばれ、そこでカメラ５８および６０は小切手の両面の像をキャプチャする。次いでプロセッサは書類検証ソフトウェアを実行することによって署名像を分析し、それをユーザのプロファイル署名と比較する。同様にプロセッサはまた、書類検証ソフトウェアに関して以下でより詳細に説明するように、検証ソフトウェアを使用して、ＣＡＲ線において筆記体で書かれている合法ラインおよび書かれた数量を読み取る。
【００５９】
小切手を再挿入した後、ユーザは９０ドル（図１６Ｄ）の額を再入力するよう要求される。小切手像は再び処理され、額がキー入力された額に一致する場合、ユーザディスプレイに額について「ＯＫ」と示される（図１６Ｄ）。走査および預金モデムを介したユーザの口座への通信を伴う検証操作中、図１６Ｅに示すように、画面に動くバーを有する「ＯＣＲ」が示される。この画面上に示される次のプロンプトはユーザが現金で受け取りたい小切手額の一部を入力することである。現金は５ドル増分で選択される。次いでマシンは小切手の残りの額が現金で受け取られることをユーザに通知する（図１６Ｆ）。図１６Ｆに示すようにここで与えられる特定の例に関して、ユーザの画面ディスプレイ２０は１ドルのサービス料金とともに９０ドル小切手スキャンがあり、８９ドルの残高が残ることを示す。オペレータはウィンドウ７０に示すように、キーボードを使用して５ドルの増分で４０ドル現金に対する要求を入力している。図１６Ａの小切手キャッシング流れ図に関してより詳細に説明するように、次いで現金支払い装置３０は４０ドルを現金ビン５６中に支払うよう動作し、次いでユーザはそれを取り除く。図１６Ｇに示すように、４０ドルの額は預金ネットワークを介してユーザの口座中に預金される。領収書印刷装置５０は４０ドルの預金に対する領収書を印刷する。
【００６０】
為替のキャッシングは小切手のキャッシングとまったく同じである。それについて図１７に示される流れ図に関して、また図１７Ａの画面に関して以下で説明する。
【００６１】
ステップ５７０で現金為替プロセスにアクセスする。ステップ５２２で磁気カードを挿入するよう促され、検証画面を立ち上げる。ユーザが取引を出ることを決定した場合、ユーザはそのように通知し、制御権がステップ５７４に移り、他の取引が必要かどうかをテストする。カードが検証され、取引を進めるべきであると仮定して、ステップ５７６で支払うべき為替の額を入力する。ステップ５７８で、為替を挿入し、走査し、確認し、ステップ５８０で、確認が行われると仮定して、ユーザは現金で受け取るべき為替の額を入力する。ステップ５８０で、為替の額が資金によって戻されるかどうかを決定するためにモデムによって預金ネットワークに対して質問が生成される。そうであると仮定して、ステップ５８４で現金支払い装置は現金額を支払い、ステップ５８６で領収書を印刷する。次いで制御権が他の取引テストステップに移る。他の取引が必要な場合、ステップ５８８でサービスオプション画面を表示する。他の取引が不要な場合、ステップ５９０でカード読取り装置を排出し、ステップ５９２で歓迎画面を表示する。
【００６２】
ユーザが使用可能なオプション（図９）を見ているときにこの取引を開始するために矢印２６ｄの反対の「現金為替」を押したと仮定すると、図１７Ａに示すように、キーボード１８を操作して、この場合７５０ドルである為替の額を入力するようユーザのプロンプトが作成される。画面にはまた、１ドルの取引サービス料金を使用して現金で１００ドルの使用可能な額が示される。
【００６３】
現金為替画面はウィンドウ７１中に１００ドルを表示し、ユーザが受け取りたい現金の額を５ドルの増分でキーボード１８から入力するようユーザに促す。この場合、ユーザは１００ドルをウィンドウ７１に入力している。小切手の走査に使用したものと同じように、カメラ５８および６０は現金為替の両面を写し、為替の額を示す指示を位置指定し、額指示を読み取る。発行人を識別する磁気インク指示および発行人の口座が読み取られる。為替の裏の署名は走査され、確認される。次いでモデムを介した通信ネットワークが発行人の口座に接続され、為替の真正性が検査される。マシン１０が、為替が真正であることを示す信号を受信したとき、現金支払い装置３０はユーザが取り除くために１０００ドル現金を現金ビン４６中に移すよう動作する。ユーザが為替の裏に署名していない場合、図１７Ｂに示すように、ユーザは為替を再挿入するよう通知される。為替が処理できない場合、為替は拒否スロット６２を介して戻される。ユーザディスプレイ２０は、図１７Ｃに示すように、為替が処理できず、ユーザはその財政設定を確認すべきであることを述べる。
【００６４】
図９で、ユーザが、キーパッド上の右側のボタン２７ａを押して為替を購入する＃５のオプションを選択したと仮定すれば、以下に述べるように為替購入画面とフローチャートが動作可能になる。為替購入ディスプレイ２０（図１８）に表示される最初のプロンプトによって、為替の受取人の名前の入力が要求される。この事例では、図１８および図１８Ａに示すように、この名前はＪｏｈｎ  Ｄｏｅである。ユーザがキーボード１８を操作して受取人の名前、すなわち「Ｊｏｈｎ  Ｄｏｅ」を入力すると、操作者は次に、図１８Ａのウィンドウ７２に示すように金額５００ドルを入力する。手数料０．５ドルが表示され、それによって、この為替を購入するのに必要な合計金額は５００．５ドルになる。図１８Ｂで最もよくわかるように、為替の購入者に対して、現金、ユーザの口座からのクレジットカード引き落とし、およびスマートカードを含む支払いのためのいくつかのオプションが示されることが好ましい。あるいは、所望の場合には、ユーザは為替に戻ることもできる。図１８Ｂに為替を購入するためのフローチャートを示す。
【００６５】
為替購入取引では、ステップ６００を介してプロセスに入り、ステップ６０２で為替受取人の名前が入力されるか、または取消ししたい場合には、別の取引テストステップ６０４に制御が移される。受取人の名前が入力されたと仮定すると、ステップ６０６で為替の金額が入力され、ステップ６０８で支払方法が選択されて、現金支払い画面６１０、クレジットカード画面６１２、スマートカード支払い画面６１４、または口座引落とし画面６１６を介してプロンプトが出される。次に、ステップ６１８で支払いのための特定の取引が処理され、ステップ６２０で為替が印刷される。ステップ６２２で領収書が印刷され、その後、取引テスト６０４が行われる。さらに他の取引を行う場合、ステップ６２４でサービスオプション画面が表示される。他の取引を行わない場合は、ステップ６２６でカード読取り機にカードが入っているか否かを調べるテストが行われる。カードが入っている場合、ステップ６２８でカードが排出され、ステップ６３０で開始画面（初期画面）が表示される。
【００６６】
為替購入取引にはタグが付けられ、銀行業務ネットワークを介し、プリンタ７６（図１）によって為替が印刷される。為替プリンタ７６は、この事例では、図１および図３に示すように領収書プリンタ５０と並べて配置され、図２４に示すようにパラレル通信装置５１を介してコンピュータ２１に接続されている。印刷された為替は、装置１０の前面ハウシングウォール１６の領収書印刷スロット７２に隣接する為替供給スロット７２から出される。図の為替プリンタは、領収書プリンタ５０と類似したものとすることができ、Ｓｔａｒ  Ｍｉｃｒｏｎｉｃｓ  Ａｍｅｒｉｃａ，Ｉｎｃ．から入手可能なモデルＭＰ３３４２Ｆとすることができる。これは自動カッタを備える。
【００６７】
図１８Ｃに示しているように、次にユーザ画面ディスプレイ２０には、５００ドル５０セントがユーザの口座から引き出されたこと及び、為替を印刷中であることが表示される。為替と領収書の両方が、為替はスロット７８から、領収書はスロット５２からそれぞれ発行される。
【００６８】
ユーザが図９の電信振替オプションを選び、電信振替用矢印キー２７ａを押した場合、図１９の画面がユーザのディスプレイ２０に表示される。その画面で、ユーザはキーボード１８を使い送金先の名前を入力するように求められる。そして、画面ディスプレイ２０は、図１９Ａに示しているように銀行名を求めるので、Ｆｉｒｓｔ  Ａｍｅｒｉｃａｎというように入力することができる。その次にユーザに求められることは図１９Ｂが示すように、連邦ルーティングコードまたは、送金のための銀行までのルーティングである。ルーティングは、ユーザがキーボードを使いタイプする。「７８９６６５４」という番号が、図１９Ｂでは連邦ルーティングコードとしてタイプされている。次に、図１９Ｃで示しているように、受取人の口座番号が求められる。この例では口座番号が「９８７−８７６５４」となっていて、ユーザはキーボード１８を使いタイプする。
【００６９】
特定の口座に電信振替するための情報を入力すると、画面ディスプレイ２０は、送金する額を求めてくる。この例ではウィンドウ７８が示すように、８５０ドルである。そして、１０％の手数料、すなわち８５０ドルでは、８５ドルが課せられることがユーザに示され、取引合計が９３５ドルになることがウィンドウ７８ａに示される。電信送金のフローチャートは図１９Ｅに示されている。
【００７０】
電信振替プロセス６４０は、ステップ６４２で始まる。つまり、送金および銀行に関した情報を入力すると、送金が口座に入金するのと同様に行われる。ステップ６４４で、送金する金額を入力する。ステップ６４６では、電信送金の支払い方法を選択する。するとコントロールにより、画面が現金払いなら画面６４８、クレジットカードなら画面６５０、スマートカード払いなら画面６５２、あるいは自分の口座からの引き出しならば画面６５４に移る。これに続いてステップ６５６では、選んだ支払いが行われ、モデムを介し預金ネットワークを通して電信振替が行われる。ステップ６５８では領収書が発行され、ステップ６６０では他の取引を行うかどうかが確認される。引き続き取引がある場合は、サービスオプション画面がステップ６６２で表示される。またそうではない場合は、ステップ６６４でカードが読み取り装置にあるかどうかを判定するテストが行われる。もしあるならステップ６６６でカードが取り出され、ステップ６６８で最初の画面が表示される。
【００７１】
支払い方法には、何れでも利用可能な４つの異なる方法があるが、その選択を求めるものが図１９Ｆに示されている。この例では、現金、クレジットカード、自分口座からの引出し、あるいはスマートカードというオプションからディスプレイ２０を見ながら適切なキーボード２６および２７を操作して選択する。そのことを図１９Ｆは示している。適当な支払い方法を選ぶと、その後、マシンによって預金ネットワークを通じ（図１９Ｅ）Ｊｏｈｎ  Ｄｏｅ名義の口座番号９８７−８７６５４の口座に８５０ドルを届けるために該当する銀行に接続される。印刷装置は、領収書を印刷することになる。それには、支払いとしてＪｏｈｎ  Ｄｏｅ様への電信振替８５０ドルおよび取引合計額が９３５ドルであることが示されて、後者の額がクレジットカード、スマートカードから、あるいは自分口座からの引き出しという方法で請求されることが図１９Ｅは示している。一方、ユーザは現金９３５ドルを現金受納装置スロット６０に入れることもできる。そのとき、受納装置は現金を数え、現金受納装置３４に保管する。取引が終了すると、チャージカード（支払いに使用した場合）が、図１９Ｅで示しているように取り出される。
【００７２】
再び図９に示してある利用可能なオプションに戻り、オペレータはキーパッド４７の４７Ｃのキーを押して「勘定書の支払い」オプションを選ぶと、勘定書オプション画面（図２０）がユーザディスプレイ２０に表示される。支払うことのできる勘定書がディスプレイ２０にリストされる。すなわち、電話、電気、ガス、ケーブル、水道、およびクレジットカードである。オペレータは、キーパッド４６および４７の操作ボタンの１つを使って、図４の画面から支払いたい特定の勘定書を選択する。あるいは、勘定書支払いの選択を図２０Ｊに示しているタッチ画面ディスプレイのメニュー表示の中から適当なラベルの部分を触って行うこともできる。図２０Ａに示しているように、ユーザディスプレイで選んだ勘定書の金額を入力することが求められる。ここでは、電話の勘定書に１２９ドル６７セントとなっている。そして、電話の勘定書を走査物挿入用スロット５４に挿入することができる。それは、勘定書の両側のイメージを取り込む。特定の勘定書の支払いには、事前にユーザの口座を使う資格を得ておく必要がある。さらに、特定の勘定書は、勘定書の金額やお金のフィールド、さらに会社の識別、この場合は電話会社が見つかるように認識される必要がある。確認装置は、顧客の口座番号、受取人の口座番号、そして勘定書の金額を読み取る。勘定書のこの情報の位置や書き方、フォントなどは、とても様々である。勘定書の読み取りを助けるために、ユーザが操作できるキーパッドが備えられている。手動で勘定書のイメージ上のすべてのフィールドをプロセッサのために識別すると、フィールドイメージが判読される。それは、小切手または為替を分析するやり方と同じである。勘定書が確認され、大丈夫である場合には、次に求められていることは、取引で支払う合計額を明確にすることである。そのため、ユーザは電話の勘定書に支払う金額を入力するように求められる。それが図２０Ａで示してあり、この場合は１２９ドル６７セントである。６０セントの手数料も合計と共にユーザディスプレイ２０でユーザに表示されている。それは、画面の下部のウィンドウに表示されている。例えば、特定の電話の勘定書に支払う合計請求額は、１３０ドル２７セント（図２０Ａ）となる。
【００７３】
電話の勘定書を支払うと、画面はユーザに質問を介して別の勘定書の支払いを望むかどうかを尋ねる。図２０Ｃには、そのような質問が示されており、ここでは４５ドル２２セントのガスの勘定書の支払いを望んでいる。４５ドル２２セントの金額をユーザは、キーボード１８を使い入力する。図２０Ｄが示すように、次にユーザはガスの勘定書を走査装置のスロットに入れるように求められる。ガスの勘定書は電話の勘定書がカメラ５８と６０で読み取られるのと同様の方法で読み取られる。勘定書の磁気あるいは光学文字認識情報は、分析されて４５ドル２２セントの支払いを勘定書支払いネットワークの適切な口座につなぐ。ユーザがガスの勘定書も支払うことにした場合、ユーザは「続行」を押す。この場合、図２０Ｅで示しているようにユーザは、９６ドル８２セントのクレジットカードの勘定書を支払う。つまり、手数料の３分の１は、６０セントなので、手数料の合計は１ドル８０セントになる。
【００７４】
３つの勘定書、つまり電話の勘定書、ガスの勘定書、そしてクレジットカードの勘定書の合計金額に手数料を加えると２７３ドル５１セントである。
【００７５】
次に、支払い方法が求められる。（図２０Ｆ）そして、ユーザがクレジットカードでの支払いを選ぶ場合、キーパットのボタン２６ｂを押すと、図２０Ｇの画面がユーザパネル２０に示されて、ユーザにクレジットカードの勘定書をスロットに挿入するように求められる。勘定書の支払いは、勘定書支払いネットワークを通して行われ、勘定書は受取り箱で受け取る。このプロセスは、図２０Ｈで示され、説明されている。
【００７６】
勘定書支払いプロセス７２０は、ステップ７２２で支払う、電話の勘定書や電気の勘定書といった勘定書のタイプを選ぶことで始まる。勘定書は、ステップ７２４で走査と確認されステップ７２６で手動で支払い金額を入力する。ステップ７２８では、他の勘定書を支払うかどうかテストが行われる。そうする場合は、コントロールによってステップ７２２に移る。そうしない場合は、コントロールによってステップ７３０に移行して、他の取引のテストが行われる。支払い方法の質問がステップ７３２で行われ、その応答によって、現金の画面がステップ７３４で表示されたり、クレジットカード支払い画面がステップ７３６で表示されたりする。さらに、スマートカード支払い画面はステップ７３８で表示され、また口座からの引出しの画面はステップ７４０で表示される。支払い方法を選んだ後、ステップ７４２でモデム接続を介して勘定書が支払われるために、そのとき資金が振替られ、ステップ７４４では領収書が印刷される。ステップ７３０から別の取引を望む場合には、サービスオプション画面がステップ７４６で表示される。そうでない場合には、ステップ７４８でカードがカード読取り装置にあるかどうかを判定するテストが行われる。カードは、ステップ７５０で取り出され、ステップ７５２で最初の画面が表示される。
【００７７】
勘定書の支払いが終了すると、画面表示は２７３ドル５１セントが図２０Ｈで口座からの引出されたことを示し、「お客さまの勘定書は支払われました」と表記する。勘定書の支払いのフローチャートを示した図２０Ｈのように、領収書は領収書印刷装置５０で印刷され、次いでスロット５２を通してユーザに領収書が出てくる。ＡＴＭカードは、その時カード読取り装置から出てユーザに戻る。
【００７８】
ユーザが図９で、宝くじ、印紙、あるいはテレフォンコーリングカードを求める場合、購買オプションを選択するにはキーパッドの４７ｄのボタンを押す。すると、ユーザディスプレイ２０に図２１の購入表示画面が表われる。それは、印紙は１ブックレットにつき６ドル５０セント、スマートカードは１枚５ドル、そしてテレフォンカードは１枚１０ドルで求められるオプションが表示される。購入できる品目の数は、容易に増すことができ、その中には宝くじやそのほかのエンドユーザ向けの品目を含めることができる。そして、それは図１と６に示されている購入商品供給スロット８４、８５および８６を通して供給することが簡単にでき、その上側に宝くじディスペンサ８７、印紙ディスペンサ８８、およびテレフォンコーリングカードディスペンサ８９の３個の商品供給装置ユニットとスマートカード取引ベンダまたはハンドラ８９ａがあり、そのすべてはコンピュータ２１と通信をするために、抵抗ネットワーク６２ａを介してディジタルＩ／Ｏボード６２ｂと接続している。スロットを受けるディスペンサは、ハウジング１２の前面壁１６に位置しており、印紙、テレフォンカード、またはスマートカードのディスペンサは、レール９０上に据え付けられている。図３を見ると一番良くわかる。後部サービスドア９４（図７）からディスペンサに近づけるように、レール９０はスライド移動ができるようになっている。後部サービスドア９４には、ハウジング１２の内側や商品ディスペンサ８７、８８、および８９に権限なく近づけないように、それ自体にセキュリティロック９６が装備している。セキュリティロック装置９８を装備した中央ドア９７は、小切手および勘定書６６、カメラ５８および６０などを装備した、マシン１０の中央部分に近づくために開けることができる。様々なディスペンサを使うことができるが、図解してあるディスペンサはカードディスペンサでＡｓａｈｉ  Ｓｅｉｋｏ（旭精工）ＵＳＡ，Ｉｎｃ．の製作したＭｏｄｅｌ  ＣＤ１０００である。明らかに、ここで例として説明されているそれらのカードディスペンサ以外のディスペンサを使うことができる。
【００７９】
図２１で示しているように、ユーザは様々な品目の中から１つ以上のものを購入するために選ぶことができる。テレフォンカードの場合は、１枚１０ドルのカードを選ぶためにキー４６ｃを押すことによって、選択できる。「続行」のボタンを押すことで、ユーザには、次に図２１Ｂで示されているスマートカードや印紙を購入するための画面表示が提供される。あるいは、図２１Ｉで示されているタッチ画面ディスプレイを使用して、画面表示の適当なラベル部分に触って選ぶことができる。この例では、１枚あたり５ドルのスマートカード３枚をキーパッドボタン４６ｂを操作して選び、結果として購入額は総額２５ドルになる。
【００８０】
ディスプレイ２０に表示される次の画面で、ユーザは２５ドルの購入額の支払い方法を選ぶように求められる。そのため、ユーザはキーパッドの１つを操作して支払い方法として現金、クレジット、口座からの引出しまたはスマートカードから選ぶことになる。これは、図２１Ｃに示されている。
【００８１】
この例では、オペレータは、現金での支払いを選びキーパッド２６上の矢印キー２６ａをパンチする。図２１Ｄが示すようにディスプレイ２０で次に提供される画面では、現金受納装置スロット６０に現金を挿入することが求められている。そして、現金は数えられ確認される。図２１Ｅが示すように、ユーザが挿入したのは２０ドルだけである。それは、現金受納装置６４で受納され数えられる。そのため、図２１Ｆの画面はユーザに２１ドルの支払い額では、総取引額の２５ドルを満たしていないことを示している。ユーザがさらに３ドルだけしか挿入しない場合、取引画面は支払い額はまだ１ドル足りないことを示すことになる。図２１Ｇに示してあるように、取引額は２５ドルである。追加のドル紙幣をマシンに挿入すると、ユーザは図２１Ｈの示す画面を見ることになる。それは、ユーザに商品を受け取っていくように知らせるものである。商品の供給は、図２１Ａのフローチャートで示すように行われる。そして、マシンコントロールにより領収書印刷装置５０がユーザ用の領収書を印刷し、それは領収書供給スロット５２から供給される。
【００８２】
購入するためのプロセスはステップ７７０から始まる。スマートカードバランス、テレフォンコーリングカード、印紙、または宝くじなどの購入品目をステップ７７２で選ぶ。望めば、取引を取消すこともできる。するとコントロールによって別の取引テストステップ７７４へ移る。購入する品目として宝くじを選んだとする。すると品目の数量をステップ７７６で求めるので入力すると、ステップ７７８では他に何か購入するかどうかのテストが行われる。購入する場合は、コントロールによってステップ７７２へ戻る。購入しない場合、ステップ７８０で支払い方法を選択する。それに応じて、ステップ７８２では現金支払い画面が表示され、ステップ７８４ではクレジットカード支払い画面が表示され、ステップ７８６ではスマートカード支払い画面が表示され、ステップ７７８では引出し画面が表示される。資金が受納されると、宝くじのような商品がステップ７９０で供給される。領収書がステップ７９２で印刷され、別の取引有無のテストがステップ７７４で行われる。別の取引を望む場合には、サービスオプション画面がステップ７９４で表示される。そうでない場合にはステップ７９６で、カードがカード読取り装置にあるかどうか判定するテストが行われる。カードがステップ７９８で取り出され、そしてステップ８００では最初の画面が表示される。
【００８３】
以上ここまで述べられているように、マシンには硬貨や硬貨両替機を一切置かず、最小額面金額として５ドル紙幣を釣銭の支払い用に備えることが望ましい。通常、現金支払いプロセスは、図２２で示しているフローチャートに従う。
【００８４】
宝くじの購入のような取引の１つに対する現金支払いを行うために、残金をスマートカードや当座口座などへ移す。そのプロセスはステップ８１０から始まり、現金受納装置がステップ８１２で初期化される。現金がステップ８１４で受納され、ステップ８１６で合計される。受納された紙幣がステップ８１８で保管場所に積まれ、ステップ８２０では合計が取引金額を満たすかどうかの判断が行われる。不足する場合は、ステップ８１４でさらに現金を受納することになる。取引を満たしている場合は、ステップ８２２で釣銭が必要かどうかを判断するステップが実行される。釣銭が必要な場合には、ステップ８２４で５ドル単位にて返却され残金はスマートカードに支払われ、ステップ８２６で取引が続行する。
【００８５】
釣銭に利用できる５ドルおよび２０ドル紙幣は４つの現金箱に積まれている。支払い計算で供給された現金が取引を満たし、釣銭が必要であることを示している場合、釣銭は現金では、現金支払い装置のオペレーションにより５ドル単位である。あるいは、５ドル未満の残金はスマートカードや銀行口座に支払われる。そうすることによって、小額の紙幣や硬貨を保管し取扱う必要をなくしている。画面表示（図２３）で示しているように、釣銭に関してはユーザがオプションを実行することになる。ユーザは、スマートカードをカードスロット１４に挿入でき、スマートカード書込み装置８９ａ（図１）はスマートカードに残高を増やす形で釣銭を書込み、次いでスマートカードはユーザに返却される。ユーザが釣銭を自分の口座に預金することを望む場合、ユーザは矢印キー２６ｂを操作して預金ネットワークを通じて行われる預金取引を開始させる。
【００８６】
本発明に係る種々な態様を、特定の実施例に関して述べたが、以下の請求の範囲に記載の本発明の思想および範囲に含まれる開示内容から、代替実施例および修正が行えることは明らかである。
【図面の簡単な説明】
【００８７】
【図１】左側区分、中央区分、および右側区分などを含む、本発明の新規な特徴を具体化した正面図である。
【図２】図１で示されている機械の３つの区分の平面図である。
【図２Ａ】書類をスキャンするための画像ステーションの説明図である。
【図２Ｂ】書類をスキャンするための画像ステーションの説明図である。
【図３】図１で示されている装置の１区分の左側面図である。
【図４】図１の装置について、中央区分の右側面図である。
【図５】図１に示されている右側区分の右側面図である。
【図６】図１の装置上にある種々の挿入スロットまたは受け取りスロットを示し、それらについて特徴を識別する、図１の装置の前面拡大図である。
【図７】図１に示されている機械の背面図である。
【図８】カードの挿入後に行われる操作を示すための、および確認を行うためのフローチャートである。
【図８Ａ】「ＰＬＥＡＳＥ  ＩＮＳＥＲＴ  ＹＯＵＲ  ＣＡＲＤ」という指示を表示した画面を示す説明図である。
【図８Ｂ】ユーザのパスワードの入力を要求する画面を示す説明図である。
【図８Ｃ】パスワードの確認操作の進行を示す説明図である。
【図８Ｄ】誤ったパスワードが入力されたときの画面を示す説明図である。
【図８Ｅ】パスワードが誤っており、カードが保留されていることを示す説明図である。
【図８Ｆ】ユーザに、取引を処理する言語をタッチスクリーンで選択するように要求する画面表示を示す説明図である。
【図９】ユーザに利用可能な両替または取引オプションを画面上に示す説明図である。
【図９Ａ】最初の歓迎、およびユーザに利用可能な種々のオプションを示すフローチャートである。
【図１０】取引の一部として当座預金または貯蓄預金の手順を要求する画面を示す説明図である。
【図１１】当座預金からの引き出しについて異なる金額を示す画面を示す説明図である。
【図１１Ａ】引き出し取引の操作を示すフローチャートである。
【図１２】貯蓄取引からの引き出しにおいて、金額の入力を要求する画面を示す説明図である。
【図１３】預金を行うことに関するフローチャートである。
【図１３Ａ】当座預金に預金するための支払い手段入力を要求する画面を示す説明図である。
【図１３Ｂ】預金する小切手の金額入力を行うための画面を示す説明図である。
【図１３Ｃ】小切手に裏書きまたは署名するための入力の要求を示す画面を示す説明図である。
【図１３Ｄ】確認の進行を示すメッセージを表示した画面を示す説明図である。
【図１３Ｅ】取引の領収書を受け取るようにユーザに要求する画面を示す説明図である。
【図１３Ｆ】貯蓄預金に預金するための取引に関する画面を示す説明図である。
【図１３Ｇ】預金する現金の金額を要求する画面を示す説明図である。
【図１３Ｈ】現金の預金に関するマシンの操作を示すフローチャートである。
【図１３Ｉ】預金される現金の金額を示す画面を示す説明図である。
【図１３Ｊ】現金受け入れスロットに現金を預ける要求を示す説明図である。
【図１３Ｋ】現金の預金を完了したことをマシンが確認したことを示す説明図である。
【図１４】書類のスキャンと確認操作に関するフローチャートである。
【図１５Ａ】ユーザに問い合わせて、さらに取引を実行するかどうかの決定を要求する画面を示す説明図である。
【図１５Ｂ】図１５Ａに示されている画面表示における、タッチスクリーンバージョンの画面表示を示す説明図である。
【図１６】小切手をキャッシングする画面を示す説明図である。
【図１６Ａ】小切手のキャッシングに関する操作を示すフローチャートである。
【図１６Ｂ】キャッシングする小切手の金額についてマニュアル入力を要求する画面を示す説明図である。
【図１６Ｃ】小切手の裏に署名することを要求する説明図である。
【図１６Ｄ】逆さまの小切手を挿入し直す要求を示す画面を示す説明図である。
【図１６ＤＤ】ユーザに小切手の金額を入力し直すように要求する画面を示す説明図である。
【図１６Ｅ】小切手の読み取りに関する進行の棒グラフを示す説明図である。
【図１６Ｆ】小切手のキャッシング、および現金で受け取ることができる金額を示す説明図である。
【図１６Ｇ】小切手のキャッシングが完了したこと、およびユーザの口座に預金された金額の領収書を示す説明図である。
【図１６Ｈ】図１６Ｂに示されている画面のタッチスクリーンの表示バージョンを示す説明図である。
【図１７】為替のキャッシングに関する操作を示すフローチャートである。
【図１７Ａ】為替をキャッシングするときにユーザに示される画面を示す説明図である。
【図１７Ｂ】為替の裏に署名することを要求を示す説明図である。
【図１７Ｃ】為替をキャッシングすることができないことを述べる説明図である。
【図１８】購入する為替に関して受取人の名前を入力するときに使用する画面を示す説明図である。
【図１８Ａ】購入される為替の金額を示す説明図である。
【図１８Ｂ】為替の購入時に実行される様々な操作を示すフローチャートである。
【図１８Ｃ】為替を印刷してユーザに領収書の受け取りを要求する画面での、支払い方法と全体の取引を示す説明図である。
【図１８Ｄ】為替を印刷してユーザに領収書の受け取りを要求する画面での、支払い方法と全体の取引を示す説明図である。
【図１９】電信振替の画面表示を示す説明図である。
【図１９Ａ】電信振替先の口座、およびその口座の銀行名を示す説明図である。
【図１９Ｂ】連邦ルーチンコードの入力を示して要求する説明図である。
【図１９Ｃ】追加される口座番号を示す説明図である。
【図１９Ｄ】金額を要求する画面を示すとともに、サービス料金を示す説明図である。
【図１９Ｅ】電信振替の操作を示すフローチャートである。
【図１９Ｆ】全体の取引を示して、支払方法の選択要求を示す説明図である。
【図２０】装置を使用して支払うことができる勘定書の数を示す画面の説明図であるである。
【図２０Ａ】電話料金の勘定書に対する支払いで請求される、電話料金の請求金額、サービス料金、および合計金額を示す説明図である。
【図２０Ｂ】スキャナスロットに電話料金の請求金額を入れるように要求する画面を示す説明図である。
【図２０Ｃ】電話料金の勘定書とともに、ガス料金の勘定書の支払い選択を示す説明図である。
【図２０Ｄ】スキャナスロットにガス料金の請求金額を入れるように要求する説明図である。
【図２０Ｅ】クレジットカードによる勘定書の支払いを示す説明図である。
【図２０Ｆ】電話料金の勘定書、ガス料金の勘定書、およびクレジットカードによる勘定書の支払いに関して、その支払い金額、および支払い方法の要求を示す説明図である。
【図２０Ｇ】勘定書をクレジットカードによって支払うときに示される画面を示す説明図である。
【図２０Ｈ】勘定書の支払い中に行われる操作を示すフローチャートである。
【図２０Ｉ】勘定書の支払いを確認する画面を示す説明図である。
【図２０Ｊ】図２０に示されている画面のタッチスクリーンの表示バージョンを示す説明図である。
【図２１】印紙、スマートカード、またはテレフォンカードなどの品目を購入するための画面を示す説明図である。
【図２１Ａ】購入取引中に行われる種々の操作を示すフローチャートである。
【図２１Ｂ】スマートカードを３枚とテレフォンカードを１枚購入するための要求を表示した画面を示す説明図である。
【図２１Ｃ】全体の取引を示して、支払方法の選択を要求する説明図である。
【図２１Ｄ】２５ドルの取引を示す画面と、その取引に対する支払いのために挿入された金額を示す説明図である。
【図２１Ｅ】２０ドルが支払われたことを示す説明図である。
【図２１Ｆ】２１ドルが支払われたことを示す説明図である。
【図２１Ｇ】２４ドルが支払われたことを示す説明図である。
【図２１Ｈ】合計２５ドルが支払われたことを示すとともに、商品の受け取り画面上のメッセージを示す説明図である。
【図２１Ｉ】図２１に示されている画面のタッチスクリーンの表示バージョンを示す説明図である。
【図２２】現金による支払いに関する種々の操作を示すフローチャートである。
【図２３】カードに貸方記帳するか、または銀行口座に預金するかのいずれかの方法による釣銭の支払いを示す説明図である。
【図２４】図１に示されている装置のブロック図である。
【図２５】署名照合および文字認識処理のフローチャートである。
【図１】
2008077680.tif 000003
【図２】
2008077680.tif 000004
【図２Ａ】
2008077680.tif 000005
【図２Ｂ】
2008077680.tif 000006
【図３】
2008077680.tif 000007
【図４】
2008077680.tif 000008
【図５】
2008077680.tif 000009
【図６】
2008077680.tif 000010
【図７】
2008077680.tif 000011
【図８】
2008077680.tif 000012
【図８Ａ】
2008077680.tif 000013
【図８Ｂ】
2008077680.tif 000014
【図８Ｃ】
2008077680.tif 000015
【図８Ｄ】
2008077680.tif 000016
【図８Ｅ】
2008077680.tif 000017
【図８Ｆ】
2008077680.tif 000018
【図９】
2008077680.tif 000019
【図９Ａ】
2008077680.tif 000020
【図１０】
2008077680.tif 000021
【図１１】
2008077680.tif 000022
【図１１Ａ】
2008077680.tif 000023
【図１２】
2008077680.tif 000024
【図１３】
2008077680.tif 000025
【図１３Ａ】
2008077680.tif 000026
【図１３Ｂ】
2008077680.tif 000027
【図１３Ｃ】
2008077680.tif 000028
【図１３Ｄ】
2008077680.tif 000029
【図１３Ｅ】
2008077680.tif 000030
【図１３Ｆ】
2008077680.tif 000031
【図１３Ｇ】
2008077680.tif 000032
【図１３Ｈ】
2008077680.tif 000033
【図１３Ｉ】
2008077680.tif 000034
【図１３Ｊ】
2008077680.tif 000035
【図１３Ｋ】
2008077680.tif 000036
【図１４】
2008077680.tif 000037
【図１５Ａ】
2008077680.tif 000038
【図１５Ｂ】
2008077680.tif 000039
【図１６】
2008077680.tif 000040
【図１６Ａ】
2008077680.tif 000041
【図１６Ｂ】
2008077680.tif 000042
【図１６Ｃ】
2008077680.tif 000043
【図１６Ｄ】
2008077680.tif 000044
【図１６ＤＤ】
2008077680.tif 000045
【図１６Ｅ】
2008077680.tif 000046
【図１６Ｆ】
2008077680.tif 000047
【図１６Ｇ】
2008077680.tif 000048
【図１６Ｈ】
2008077680.tif 000049
【図１７】
2008077680.tif 000050
【図１７Ａ】
2008077680.tif 000051
【図１７Ｂ】
2008077680.tif 000052
【図１７Ｃ】
2008077680.tif 000053
【図１８】
2008077680.tif 000054
【図１８Ａ】
2008077680.tif 000055
【図１８Ｂ】
2008077680.tif 000056
【図１８Ｃ】
2008077680.tif 000057
【図１８Ｄ】
2008077680.tif 000058
【図１９】
2008077680.tif 000059
【図１９Ａ】
2008077680.tif 000060
【図１９Ｂ】
2008077680.tif 000061
【図１９Ｃ】
2008077680.tif 000062
【図１９Ｄ】
2008077680.tif 000063
【図１９Ｅ】
2008077680.tif 000064
【図１９Ｆ】
2008077680.tif 000065
【図２０】
2008077680.tif 000066
【図２０Ａ】
2008077680.tif 000067
【図２０Ｂ】
2008077680.tif 000068
【図２０Ｃ】
2008077680.tif 000069
【図２０Ｄ】
2008077680.tif 000070
【図２０Ｅ】
2008077680.tif 000071
【図２０Ｆ】
2008077680.tif 000072
【図２０Ｇ】
2008077680.tif 000073
【図２０Ｈ】
2008077680.tif 000074
【図２０Ｉ】
2008077680.tif 000075
【図２０Ｊ】
2008077680.tif 000076
【図２１】
2008077680.tif 000077
【図２１Ａ】
2008077680.tif 000078
【図２１Ｂ】
2008077680.tif 000079
【図２１Ｃ】
2008077680.tif 000080
【図２１Ｄ】
2008077680.tif 000081
【図２１Ｅ】
2008077680.tif 000082
【図２１Ｆ】
2008077680.tif 000083
【図２１Ｇ】
2008077680.tif 000084
【図２１Ｈ】
2008077680.tif 000085
【図２１Ｉ】
2008077680.tif 000086
【図２２】
2008077680.tif 000087
【図２３】
2008077680.tif 000088
【図２４】
2008077680.tif 000089
【図２５】
2008077680.tif 000090